(57)【要約】    【課題】病室内の患者または看護師からの呼び出しを報知させる複数のチームにそれぞれ割り当てられたハンディナース端末に優先順位を設定し、各チーム毎の呼出可能なハンディナース端末の台数を均一に割り当てて全てのチームへと呼出報知を行う。    【解決手段】病室内の患者または看護師からのナースコール子機１ａ〜４ａ、１ｂ〜４ｂ、・・・を使用した通常呼び出し、緊急呼び出し等の複数の呼出種別のうち何れか１の呼び出しを報知させることができる複数のチームにそれぞれ割り当てられたハンディナース端末４０ａ、４０ｂ、・・・４０ｔとして、一度に呼出可能な台数を超えて設定されている場合、ナースコール子機からの呼び出しを検出した制御機７０の制御機ＣＰＵ７１は、１回目の呼出時に各チーム毎の呼出可能なハンディナース端末の台数を均一に割り当て、予め定められた時間の経過後に呼び出しを報知させるハンディナース端末が変更されたときには、各チーム内で最初に特定したハンディナース端末の台数を呼び出すことにより、全てのチームへと呼出報知を行う。    【選択図】図１
2005278101.tif 000002
【特許請求の範囲】
【請求項１】
病室内に設置され、患者または看護師から通常呼び出し、緊急呼び出し等の複数の呼出種別のうち何れか１つで他の看護師を呼び出すためのナースコール子機（１ａ〜４ａ、１ｂ〜４ｂ、・・・）と、廊下に設置され、前記ナースコール子機から前記呼び出しがあったとき呼出表示灯（２１）が点滅する廊下灯（２０ａ、２０ｂ、・・・）と、ナースステーション内に設置され、前記患者または前記看護師からの呼び出しを報知するとともに通話を行うためのナースコール親機（３０）と、前記他の看護師により携行され前記患者または前記看護師からの呼び出しを報知するとともに通話を行うための複数のハンディナース端末（４０ａ、４０ｂ、・・・４０ｔ）と、前記廊下灯および前記ナースコール親機を制御するための制御機（７０）とを設け、
前記ハンディナース端末は、それぞれ他のハンディナース端末と重複しない個別の端末番号を有し、
前記ハンディナース端末は、複数のチームにそれぞれ割り当てられ、前記患者または前記看護師からの呼び出しの際に前記制御機の制御によって予め定められた１乃至複数のチーム番号を指定することにより、チーム別に呼び出しを行うことができるものであり、
前記制御機は、前記ナースコール子機からの呼び出しとして、一度に呼び出しを報知させることができる前記ハンディナース端末の台数には制限があり、かつ呼出可能なチームを設定する際に、呼出可能な台数のみを端末番号にて指定し、予め定められた時間の経過後に前記端末番号を変更して複数回の報知を行うことにより、一度に呼び出す台数を超えて設定することができ、前記一度に呼び出しを報知させることができる台数を超えて設定したとき、前記ナースコール子機からの１回目の呼出時に各チーム毎の呼出可能な前記ハンディナース端末の台数を均一な割り付けで特定するとともに、各チームにおいて毎回の呼び出しで報知させることができる前記ハンディナース端末の台数を特定するための制御機ＣＰＵ（７１）を備えたことを特徴とするナースコールシステム。
【請求項２】
前記予め定められた時間の経過後に前記呼び出しを報知させる前記ハンディナース端末が変更されたとき、各チーム内で最初に特定した台数の前記ハンディナース端末を呼び出すことを特徴とする請求項１記載のナースコールシステム。
【請求項３】
前記ハンディナース端末を前記各チーム毎にランダムで呼び出すことを特徴とする請求項１または請求項２記載のナースコールシステム。
【発明の詳細な説明】
【技術分野】
【０００１】
本発明は、病院等に設置されるナースコールシステムに係り、特に、病室内の患者または看護師からの呼び出しを報知させる複数のチームにそれぞれ割り当てられたハンディナース端末に優先順位を設定することができるナースコールシステムに関する。
【背景技術】
【０００２】
従来から、この種のナースコールシステムとして、病室内の患者からの緊急呼出時には、自分の受け持ちか否かに関わらず全ての携帯端末に呼び出しを報知させる、すなわち、携帯端末を携行している全ての看護師に呼び出しを報知させる。一方、病室内の患者からの通常呼出時には、受け持ちの看護師が携行する携帯端末のみに呼び出しを報知させることにより、全ての看護師が緊急呼び出しを必要とする病室内の患者に即時に対応することができ、迅速な看護業務の遂行が図られたナースコール装置が提案されている（例えば、特許文献１を参照）。
【０００３】
従来例のナースコール装置において、病室内の患者からの通常呼び出し、緊急呼び出し等の複数の呼出種別のうち何れかを問わずして、呼び出しが報知される携帯端末の台数は最大８台であることから、それ以上の台数の携帯端末が複数のチーム（看護チームと同意。）にそれぞれ割り当てられ設定されている場合、例えば、図４のテーブル説明図に示すように、チーム番号が「１」のチームに割り当てられた携帯端末が７台、チーム番号が「２」のチームに割り当てられた携帯端末が３台、チーム番号が「３」のチームに割り当てられた携帯端末が３台、チーム番号が「４」のチームに割り当てられた携帯端末が２台、チーム番号が「５」のチームに割り当てられた携帯端末が１台、チーム番号が「６」のチームに割り当てられた携帯端末が２台、チーム番号が「７」のチームに割り当てられた携帯端末が１台、チーム番号が「８」のチームに割り当てられた携帯端末が１台の合計２０台の携帯端末を有している場合、これら２０台の携帯端末がそれぞれ有する重複しない個別の端末番号を「１１」、「１２」、「１３」、「１４」、「１５」、「１６」、「１７」、「２１」、「２２」、「２３」、「３１」、「３２」、「３３」、「４１」、「４２」、「５１」、「６１」、「６２」、「７１」、「８１」とし、例えば、緊急呼び出しを行った病室内の患者を受け持つ看護師のチームがチーム番号「１」、「２」、「６」、「７」の４つのチームに予め設定されていると、制御機の制御により１回目に緊急呼び出しを報知させる当該携帯端末が有する重複しない個別の端末番号として、「１１」、「２１」、「６１」、「７１」、「１２」、「２２」、「６２」、「１３」の順序で合計８つの端末番号を特定し、これらの端末番号が割り当てられた合計８台の携帯端末にて緊急呼び出しがある旨を報知させる。
【０００４】
また、前述のような１回目の呼出報知が行われたのにも関わらず、何れの携帯端末でも応答操作がなく一定の時間が経過してタイムアップとなると、これを検出した制御機は、次回の呼出報知、すなわち、２回目に緊急呼び出しを報知させる当該携帯端末が有する重複しない個別の端末番号として、１回目に呼出報知が行われなかった端末番号を優先させた「２３」、「１４」、「１５」、「１６」、「１７」、「１１」、「２１」、「６１」の順序で合計８つの端末番号を特定し、これらの端末番号が割り当てられた合計８台の携帯端末にて緊急呼び出しがある旨を報知させる。
【０００５】
また、前述のような２回目の呼出報知が行われたのにも関わらず、何れの携帯端末でも応答操作がなく一定の時間が経過してタイムアップとなると、これを検出した制御機は、次回の呼出報知、すなわち、３回目に緊急呼び出しを報知させる当該携帯端末が有する重複しない個別の端末番号として、２回目に呼出報知が行われなかった端末番号を優先させた「７１」、「１２」、「２２」、「６２」、「１３」、「２３」、「１４」、「１５」の順序で合計８つの端末番号を特定し、これらの端末番号が割り当てられた合計８台の携帯端末にて緊急呼び出しがある旨を報知させる。
【０００６】
また、前述のような３回目の呼出報知が行われたのにも関わらず、何れの携帯端末でも応答操作がなく一定の時間が経過してタイムアップとなると、これを検出した制御機は、次回の呼出報知、すなわち、４回目に緊急呼び出しを報知させる当該携帯端末が有する重複しない個別の端末番号として、３回目に呼出報知が行われなかった端末番号を優先させた「１６」、「１７」、「１１」、「２１」、「６１」、「７１」、「１２」、「２２」の順序で合計８つの端末番号を特定し、これらの端末番号が割り当てられた合計８台の携帯端末にて緊急呼び出しがある旨を報知させる。
【０００７】
さらに、前述のような４回目の呼出報知が行われたのにも関わらず、何れの携帯端末でも応答操作がなく一定の時間が経過してタイムアップとなると、これを検出した制御機は、次回の呼出報知、すなわち、５回目に緊急呼び出しを報知させる当該携帯端末が有する重複しない個別の端末番号として、４回目に呼出報知が行われなかった端末番号を優先させた「６２」、「１３」、「２３」、「１４」、「１５」、「１６」、「１７」、「１１」の順序で合計８つの端末番号を特定し、これらの端末番号が割り当てられた合計８台の携帯端末にて緊急呼び出しがある旨を報知させる。
【０００８】
なお、前述のような各回の呼出報知を確認した何れか１人の看護師による携帯端末を使用した応答操作があるまで、緊急呼び出しがある旨の呼出報知は繰り返される。
【０００９】
【特許文献１】特開２０００−２２４３２１号公報（段落番号００１１、００１４〜００２９、図１〜図３）
【発明の開示】
【発明が解決しようとする課題】
【００１０】
しかしながら、従来例のナースコール装置によれば、病室内の患者からの緊急呼び出しを携帯端末にて報知させるにあたり、図４のテーブル説明図に示すように、２回目、５回目にそれぞれ緊急呼び出しを報知させる当該携帯端末としてチーム番号が「７」のチームに割り当てられた携帯端末では呼出報知が行われなかったり、チーム番号が「１」のチームでは、他のチームと比較してより複数台の携帯端末にて呼出報知が行われていた。
【００１１】
これにより、病室内の患者からの緊急呼び出しがある旨を報知させるべき看護師、すなわち、チーム番号が「７」のチームに割り当てられた携帯端末を携行している看護師へと呼出報知できなかったり、チーム番号が「１」の看護師が重症の患者への対応で全員不在になっていた場合において、他のチームの呼出台数が少ないことから、呼出元の患者に即時に対応できず、迅速な看護業務の遂行が図れない虞があった。
【００１２】
本発明は、前述の難点を解消するためになされたもので、病室内の患者または看護師からの呼び出しを報知させる複数のチームにそれぞれ割り当てられたハンディナース端末に優先順位を設定し、各チーム毎の呼出可能なハンディナース端末の台数を均一に割り当てて全てのチームへと呼出報知を行うことができるナースコールシステムを提供することを目的としている。
【課題を解決するための手段】
【００１３】
前述の目的を達成するため、本発明のナースコールシステムは、病室内に設置され、患者または看護師から通常呼び出し、緊急呼び出し等の複数の呼出種別のうち何れか１つで他の看護師を呼び出すためのナースコール子機と、廊下に設置され、ナースコール子機から呼び出しがあったとき呼出表示灯が点滅する廊下灯と、ナースステーション内に設置され、患者または看護師からの呼び出しを報知するとともに通話を行うためのナースコール親機と、他の看護師により携行され患者または看護師からの呼び出しを報知するとともに通話を行うための複数のハンディナース端末と、廊下灯およびナースコール親機を制御するための制御機とを設けている。ハンディナース端末は、それぞれ他のハンディナース端末と重複しない個別の端末番号を有している。ハンディナース端末は、複数のチームにそれぞれ割り当てられ、患者または看護師からの呼び出しの際に制御機の制御によって予め定められた１乃至複数のチーム番号を指定することにより、チーム別に呼び出しを行うことができるものである。制御機は、ナースコール子機からの呼び出しとして、一度に呼び出しを報知させることができるハンディナース端末の台数には制限があり、かつ呼出可能なチームを設定する際に、呼出可能な台数のみを端末番号にて指定し、予め定められた時間の経過後に端末番号を変更して複数回の報知を行うことにより、一度に呼び出す台数を超えて設定することができ、一度に呼び出しを報知させることができる台数を超えて設定したとき、ナースコール子機からの１回目の呼出時に各チーム毎の呼出可能なハンディナース端末の台数を均一な割り付けで特定するとともに、各チームにおいて毎回の呼び出しで報知させることができるハンディナース端末の台数を特定するための制御機ＣＰＵを備えている。
【００１４】
また、本発明のナースコールシステムは、予め定められた時間の経過後に呼び出しを報知させるハンディナース端末が変更されたとき、各チーム内で最初に特定した台数のハンディナース端末を呼び出すことができる。
【００１５】
また、本発明のナースコールシステムは、ハンディナース端末を各チーム毎にランダムで呼び出すものである。
【発明の効果】
【００１６】
本発明のナースコールシステムによれば、病室内の患者または看護師からのナースコール子機を使用した通常呼び出し、緊急呼び出し等の複数の呼出種別のうち何れか１の呼び出しを報知させることができる複数のチームにそれぞれ割り当てられたハンディナース端末として、一度に呼出可能な台数を超えて設定されている場合、ナースコール子機からの呼び出しを検出した制御機の制御機ＣＰＵは、１回目の呼出時に各チーム毎の呼出可能なハンディナース端末の台数を均一に割り当て、予め定められた時間の経過後に呼び出しを報知させるハンディナース端末が変更されたときには、各チーム内で最初に特定したハンディナース端末の台数を呼び出すことにより、全てのチームへと呼出報知を行うことができる。これにより、複数のチームにそれぞれ割り当てられたハンディナース端末を携行している看護師のうち少なくとも各チーム毎何れか１人の看護師は、呼出元の患者または他の看護師に即時に対応でき、迅速な看護業務の遂行が図られる。
【発明を実施するための最良の形態】
【００１７】
以下、本発明のナースコールシステムを適用した最良の実施の形態例について、図面を参照して説明する。
【００１８】
図１は、本発明の実施例によるナースコールシステムの構成を示すシステム説明図である。
【００１９】
図１のシステム説明図に示すナースコールシステムは、Ａ号室内、Ｂ号室内、・・・のような病室内の各病床に設置され、病床の患者または看護師がナースステーション内に在室中の看護師や後述するハンディナース端末４０ａ、４０ｂ、・・・４０ｔを携行しながら病院内を巡回中の他の看護師に対して通常の呼び出し（ナースコール呼び出しと同意。）、緊急の呼び出し等の複数の呼出種別のうち何れか１つで呼び出しを行い、呼出先の看護師（他の看護師）との間で通話を成立させるための機能を備えた（複数の）ナースコール子機、ここでは、病室毎４台ずつのナースコール子機１ａ〜４ａ、１ｂ〜４ｂ、・・・と、各病室の出入口近傍、例えば、廊下に設置され、子機ラインＬ1a〜Ｌ4a、Ｌ1b〜Ｌ4b、・・・を介して接続された各ナースコール子機１ａ〜４ａ、１ｂ〜４ｂ、・・・の呼出ボタン１０の操作、すなわち、病床の患者または看護師からの前述の呼び出しをそれぞれ検出するための（複数の）廊下灯２０ａ、２０ｂ、・・・と、ナースステーション内に設置され、病床の患者または看護師からの前述の呼び出しが報知され、この呼出報知を確認したナースステーション内に在室中の看護師が呼出元の患者または他の看護師との間で通話を成立させるためのナースコール親機３０と、病院内を巡回中の看護師によりそれぞれ携行され、病床の患者または看護師（他の看護師）からの前述の呼び出しが報知され、この呼出報知を確認した看護師が呼出元の患者または他の看護師との間で通話を成立させるための機能を備え、重複しない個別の端末番号を有する例えば、ＰＨＳ（Personal Handyphone System）等の（複数の）ハンディナース端末、ここでは、チーム番号が「１」のチーム（従来例と同様、看護チームと同意。）に割り当てられた複数の看護師によりそれぞれ携行される端末番号が「１１」、「１２」、「１３」、「１４」、「１５」、「１６」、「１７」の計７台のハンディナース端末４０ａ、４０ｂ、４０ｃ、４０ｄ、４０ｅ、４０ｆ、４０ｇ、チーム番号が「２」のチームに割り当てられた複数の看護師によりそれぞれ携行される端末番号が「２１」、「２２」、「２３」の計３台のハンディナース端末４０ｈ、４０ｉ、４０ｊ、チーム番号が「３」のチームに割り当てられた複数の看護師によりそれぞれ携行される端末番号が「３１」、「３２」、「３３」の計３台のハンディナース端末４０ｋ、４０ｌ、４０ｍ、チーム番号が「４」のチームに割り当てられた複数の看護師によりぞれぞれ携行される端末番号が「４１」、「４２」の計２台のハンディナース端末４０ｎ、４０ｏ、チーム番号が「５」のチームに割り当てられた看護師により携行される端末番号が「５１」のハンディナース端末４０ｐ、チーム番号が「６」のチームに割り当てられた複数の看護師によりそれぞれ携行される端末番号が「６１」、「６２」の計２台のハンディナース端末４０ｑ、４０ｒ、チーム番号が「７」のチームに割り当てられた看護師により携行される端末番号が「７１」のハンディナース端末４０ｓ、チーム番号が「８」のチームに割り当てられた看護師により携行される端末番号が「８１」のハンディナース端末４０ｔからなる合計２０台の当該ハンディナース端末と、各ハンディナース端末４０ａ、４０ｂ、・��・４０ｔを制御するための基地局５０と、基地局ラインＬ13を介して接続された基地局５０および交換機ラインＬ12を介して接続された後述する制御機７０の間の通信ラインを形成する例えば、デジタル方式のＰＢＸ交換機６０と、病院内の共用部、例えば、ナースステーション内や廊下に設置され、廊下灯ラインＬ10を介して縦接続された各廊下灯２０ａ、２０ｂ、・・・、親機ラインＬ11を介して接続されたナースコール親機３０、交換機ラインＬ12を介して接続されたＰＢＸ交換機６０をそれぞれ制御するための制御機７０とが設けられている。
【００２０】
また、図１のシステム説明図において、（複数の）ナースコール子機１ａ〜４ａ、１ｂ〜４ｂ、・・・はそれぞれ同様な構成であり、病床の患者または看護師が前述の呼び出しを行うために操作する呼出ボタン１０と、病床の患者または看護師が呼出先の看護師（他の看護師）との間で通話を成立させるための音声（音声信号）を送受信する子機マイク１１および子機スピーカ１２とを有している。
【００２１】
また、図１のシステム説明図において、（複数の）廊下灯２０ａ、２０ｂ、・・・はそれぞれ同様な構成であり、前述のような呼出検出機能の他、子機ラインＬ1a〜Ｌ4a、Ｌ1b〜Ｌ4b、・・・を介して接続された各ナースコール子機１ａ〜４ａ、１ｂ〜４ｂ、・・・からの呼び出しがあることを呼出種別毎異なるパターンで点滅表示するとともに通話中である旨を点灯表示するためのＬＥＤ（Light Emitting Diode）等の呼出表示灯（以下、廊下呼出表示灯という。）２１を有している。
【００２２】
また、図１のシステム説明図において、ナースコール親機３０は、廊下灯２０ａ、２０ｂ、・・・から出力される呼出信号をもとに呼出元のナースコール子機１ａ〜４ａ、１ｂ〜４ｂ、・・・を検出し、検出されたナースコール子機が設置される病床を呼出種別毎異なるパターンで点滅表示するとともに、ナースステーション内に在室中の看護師が通話中である旨を点灯表示するためのＬＥＤ等の呼出表示灯（以下、親機呼出表示灯という。）３１と、前述の呼び出しを報知させるための呼出音として呼出種別毎で異なるパターンの呼出音（音声メッセージを含む）を出力する親機スピーカ３２と、親機スピーカ３２からの出力の内容と同様、前述の呼び出しが検出されたナースコール子機が設置される病床を呼出種別の情報とともにディスプレイ表示する機能およびナースステーション内に在室中の看護師が通話中である旨をディスプレイ表示するためのＬＣＤ（Liquid Crystal Display）、有機ＥＬ（Electroluminescence）等の親機表示部３３と、ナースステーション内に在室中の看護師が呼出元の患者または他の看護師との間で通話を成立させるための音声（音声信号）を送受信するハンドセット３４とを有している。
【００２３】
また、図１のシステム説明図において、（複数の）ハンディナース端末４０ａ、４０ｂ、・・・４０ｔはそれぞれ同様な構成であり、廊下灯２０ａ、２０ｂ、・・・から出力される呼出信号をもとに呼出元のナースコール子機１ａ〜４ａ、１ｂ〜４ｂ、・・・を検出し、検出されたナースコール子機が設置される病床を呼出種別の情報とともにディスプレイ表示するＬＣＤ、有機ＥＬ等の端末表示部４１と、前述の呼び出しを報知させるための呼出音として呼出種別毎で異なるパターンの呼出音（音声メッセージを含む）を出力するとともに、病院内を巡回中の看護師が呼出元の患者または他の看護師との間で通話を成立させるための音声（音声信号）を受信する端末スピーカ４２と、端末スピーカ４２とともに病院内を巡回中の看護師が通話を成立させるためのに使用し、音声（音声信号）を送信する端末マイク４３とを有している。
【００２４】
さらに、図１のシステム説明図において、制御機７０には、当該制御機の構成各部および当該システムを制御するために設けられ計時機能を有しており、後述するように、ナースコール子機１ａ〜４ａ、１ｂ〜４ｂ、・・・からの前述の呼び出しを報知させるハンディナース端末４０ａ、４０ｂ、・・・４０ｔについて（優先順位を持たせて）特定するための制御機ＣＰＵ７１と、制御機ＣＰＵ７１および廊下灯ラインＬ10の間の信号伝送路を形成するためのインターフェース（以下、廊下灯側Ｉ／Ｆという。）７２と、制御機ＣＰＵ７１および親機ラインＬ11の間の信号伝送路を形成するためのインターフェース（以下、親機側Ｉ／Ｆという。）７３と、制御機ＣＰＵ７１および交換機ラインＬ12の間の信号伝送路を形成するためのインターフェース（以下、端末側Ｉ／Ｆという。）７４と、ナースコール子機１ａ〜４ａ、１ｂ〜４ｂ、・・・にそれぞれ割り当てられた子機番号のテーブル（図示せず）や図３のテーブル説明図に示す各チーム毎のチーム番号「１」〜「８」に割り当てられたハンディナース端末４０ａ、４０ｂ、・・・４０ｔが有する前述の端末番号「１１」〜「１７」、「２１」〜「２３」、「３１」〜「３３」、「４１」、「４２」、「５１」、「６１」、「６２」、「７１」、「８１」のテーブル等が予め記憶されたＲＯＭ（Read Only Memory）、ＲＡＭ（Random Access Memory）等のメモリ７５とが備えられている。
【００２５】
このように構成された本発明の実施例によるナースコールシステムにおいて、以下、具体的な動作について、図１のシステム説明図、図２のフローチャート図および図３のテーブル説明図を参照して説明する。
【００２６】
なお、図２のフローチャート図は、制御機７０の制御機ＣＰＵ７１の制御動作を示す図であり、図３のテーブル説明図は、制御機７０の制御機ＣＰＵ７１の制御により、呼び出しを報知させるハンディナース端末４０ａ、４０ｂ、・・・４０ｔがそれぞれ有する重複しない個別の端末番号を特定するための動作遷移を示す図である。
【００２７】
図１のシステム説明図において、Ａ号室、Ｂ号室、・・・内に居る人物、ここでは、Ａ号室内でナースコール子機１ａが設置された病床の患者が、ナースステーション内に在室中の看護師およびハンディナース端末４０ａ、４０ｂ、・・・４０ｔをそれぞれ携行しながら病院内を巡回中の複数の看護師のうちナースコール子機１ａが設置された病床の患者を受け持つチーム毎の複数の看護師、ここでは、チーム番号が「１」、「２」、「６」、「７」の計４チームの複数の看護師に対して、通常の呼び出し、緊急呼び出し等の複数の呼出種別のうち何れか１つの呼び出し、ここでは、緊急の呼び出しのために呼出ボタン１０を使用して所定の呼出操作を行うと、この呼出操作を子機ラインＬ1aを介して検出した廊下灯２０ａは、呼出元のナースコール子機１ａに割り当てられている子機番号、自廊下灯に割り当てられている病室番号および緊急呼び出しを示す呼出種別の情報を付加させた呼出信号を廊下灯ラインＬ10に出力するとともに、呼出元のナースコール子機１ａが設置された病床にに該当する廊下呼出表示灯２１を前述の呼出種別に対応したパターンで点滅させる。また、廊下灯２０ａからの呼出信号は、廊下灯ラインＬ10、制御機７０の廊下灯側Ｉ／Ｆ７２を介して制御機ＣＰＵ７０と廊下灯ラインＬ10を介して自廊下灯２０ａを除く他の廊下灯２０ｂ、・・・とへそれぞれ伝送される。
【００２８】
なお、（廊下灯２０ａを除く）他の廊下灯２０ｂ、・・・では、入力された呼出信号が制御機７０からの出力信号ではないと判断して何ら動作を行わず、待受状態を保持する。
【００２９】
制御機７０の制御機ＣＰＵ７１は、廊下灯２０ａからの呼出信号に付加されている子機番号、病室番号および呼出種別の情報をもとに、Ａ号室内でナースコール子機１ａが設置されている病床の患者からの緊急呼び出しがあることを検出して計時機能が能動となり（ステップＳＴ1、ＳＴ2）、前述の子機番号、病室番号および呼出種別の情報を付加させた親機呼出報知信号を親機側Ｉ／Ｆ７３から親機ラインＬ11を介してナースコール親機３０に出力する。
【００３０】
ナースコール親機３０は、制御機７０の制御機ＣＰＵ７１からの親機呼出報知信号に付加されている前述の子機番号、病室番号および呼出種別の情報をもとに、Ａ号室内でナースコール子機１ａが設置されている病床の患者からの緊急呼び出しがあることを検出し、呼出元のナースコール子機１ａが設置された病床に該当する親機呼出表示灯３１を前述の呼出種別に対応したパターンで点滅させるとともに、所定のパターンの呼出音（音声メッセージを含む）を親機スピーカ３２から出力させて呼出報知を行う。
【００３１】
なお、ナースコール親機３０では、呼出元のナースコール子機１ａが設置された病床に該当する親機呼出表示灯３１を前述の呼出種別に対応したパターンで点滅させるのみならず、視覚的な報知手段として、病室Ａ内でナースコール子機１ａが病床に設置されている患者からの緊急呼び出しがある旨の内容を文字や絵データで親機表示部３３にディスプレイ表示させることもできる。
【００３２】
また、Ａ号室内でナースコール子機１ａが設置されている病床の患者からの緊急呼び出しがあることを検出した制御機７０の制御機ＣＰＵ７１は、前述のような計時機能の開始および親機呼出報知信号の出力のみならず、呼出元の患者を受け持つチームのチーム番号であるチーム番号「１」、「２」、「６」、「７」をメモリ７５から読み出すとともに、前述の合計２０台のハンディナース端末４０ａ、４０ｂ、・・・４０ｔのうち、ナースコール子機１ａからの緊急呼び出しを報知させる当該ハンディナース端末を指定するため、制限台数とされる８台のハンディナース端末について前述の各チーム「１」、「２」、「６」、「７」毎均一な割り付けで、かつ各チーム「１」、「２」、「６」、「７」毎で最大３台の当該ハンディナース端末が有する重複しない個別の端末番号を特定してメモリ７５から読み出す。ここでは、図３のテーブル説明図に示すように、１回目に緊急呼び出しを報知させる当該ハンディナース端末がそれぞれ有する重複しない個別の端末番号として、先ず、チーム番号が「１」のチームで同チーム内１台目のハンディナース端末４０ａに割り当てられている端末番号「１１」を読み出し、この後に、チーム番号が「２」のチームで同チーム内１台目のハンディナース端末４０ｈに割り当てられている端末番号「２１」、チーム番号が「６」のチームで同チーム内１台目のハンディナース端末４０ｑに割り当てられている端末番号「６１」、チーム番号が「７」のチームで同チーム内１台目のハンディナース端末４０ｓに割り当てられている端末番号「７１」、チーム番号が「１」のチームで同チーム内２台目のハンディナース端末４０ｂに割り当てられている端末番号「１２」、チーム番号が「２」のチームで同チーム内２台目のハンディナース端末４０ｉに割り当てられている端末番号「２２」、チーム番号が「６」のチームで同チーム内２台目のハンディナース端末４０ｒに割り当てられている端末番号「６２」、チーム番号が「１」のチームで同チーム内３台目のハンディナース端末４０ｃに割り当てられている端末番号「１３」の順序で合計８つの端末番号を特定してメモリ７５から読み出す。
【００３３】
また、制御機７０の制御機ＣＰＵ７１は、メモリ７５から読み出した各端末番号「１１」、「１２」、「１３」、「２１」、「２２」、「６１」、「６２」、「７１」と前述の子機番号、病室番号および呼出種別の情報をもとに作成した呼出報知データ（詳述せず）とを付加させた端末呼出報知信号（以下、１回目端末呼出報知信号という。）を端末側Ｉ／Ｆ７４から交換機ラインＬ12、ＰＢＸ交換機６０、基地局ラインＬ13を介して基地局５０に出力する。
【００３４】
基地局５０は、制御機７０の制御機ＣＰＵ７１からの１回目端末呼出報知信号を無線信号に信号処理して全てのハンディナース端末４０ａ、４０ｂ、・・・４０ｔへと送信する。
【００３５】
全てのハンディナース端末４０ａ、４０ｂ、・・・４０ｔは、基地局５０からの１回目端末呼出報知無線信号を受信し、電気信号へと信号処理した１回目端末呼出報知信号に付加されている各端末番号「１１」、「１２」、「１３」、「２１」、「２２」、「６１」、「６２」、「７１」と自端末に割り当てられている端末番号とを照合し、当該端末番号が一致した場合にのみ、同様に付加されている呼出報知データ（詳述せず）をもとに、Ａ号室内でナースコール子機１ａが設置されている病床の患者からの緊急呼び出しがある旨の内容を示す文字や絵データを端末モニタ４１に出画させるとともに、Ａ号室内でナースコール子機１ａが設置されている病床の患者からの緊急呼び出しがある旨の呼出音（音声メッセージを含む）を端末スピーカ４２から出力させて呼出報知を行う。ここでは、ハンディナース端末４０ａ、４０ｂ、４０ｃ、４０ｈ、４０ｉ、４０ｑ、４０ｒ、４０ｓにて前述の呼出報知がそれぞれ行われる（ステップＳＴ3）。
【００３６】
さらに、ナースコール親機３０にて行われた前述の呼出報知を確認したナースステーション内に在室中の看護師、およびハンディナース端末４０ａ、４０ｂ、４０ｃ、４０ｈ、４０ｉ、４０ｑ、４０ｒ、４０ｓにてそれぞれ行われた前述の呼出報知を確認した合計８人の病院内を巡回中の看護師のうち、何れか１人の看護師が制御機７０の制御機ＣＰＵ７１にて計時中の予め定められた時間を経過する前、ここでは、３０秒を経過する前に所定の応答操作を行うと、この応答操作を検出した制御機ＣＰＵ７１の制御により通話路が形成される。例えば、最先の応答操作として、ナースステーション内に在室中の看護師がナースコール親機３０のハンドセット３４を取り上げると、この応答操作を検出した制御機７０の制御機ＣＰＵ７１の制御により、ハンドセット３４と親機ラインＬ11、制御機７０の親機側Ｉ／Ｆ７３、当該制御機ＣＰＵ、廊下灯側Ｉ／Ｆ７２、廊下灯ラインＬ10、廊下灯２０ａ、子機ラインＬ1aを介して呼出元の患者が使用するナースコール子機１ａの子機マイク１１および子機スピーカ１２との間の通話路が形成され、形成された通話路を介して音声信号を送受信させることにより通話が成立する。なお、前述の通話路が形成されたとき、廊下灯２０ａの廊下呼出表示灯２１およびナースコール親機３０の親機呼出表示灯３１は、緊急呼び出しがある旨の呼出報知を示す点滅の表示パターンから通話中である旨の点灯の表示パターンへと切り換わり、親機モニタ３３に出画される表示データも緊急呼び出しがある旨の呼出報知を示す表示データから通話中である旨の表示データへと切り換わるだけでなく、ハンディナース端末４０ａ、４０ｂ、４０ｃ、４０ｈ、４０ｉ、４０ｑ、４０ｒ、４０ｓにてそれぞれ行われている前述の呼出報知は終了する（ステップＳＴ7、ＳＴ8）。
【００３７】
一方、最先の応答操作として、ハンディナース端末４０ａ、４０ｂ、４０ｃ、４０ｈ、４０ｉ、４０ｑ、４０ｒ、４０ｓをそれぞれ携行している合計８人の病院内を巡回中の看護師のうち、何れか１人の看護師、例えば、ハンディナース端末４０ａを携行しながら病院内を巡回中の看護師が所定の応答操作を行うと、この応答操作を検出した制御機７０の制御機ＣＰＵ７１の制御により、ハンディナース端末４０ａの端末スピーカ４２および端末マイク４３と基地局５０、基地局ラインＬ13、ＰＢＸ交換機６０、交換機ラインＬ12、制御機７０の端末側Ｉ／Ｆ７４、当該制御機ＣＰＵ、廊下灯側Ｉ／Ｆ７２、廊下灯ラインＬ10、廊下灯２０ａ、子機ラインＬ1aを介して呼出元の患者が使用するナースコール子機１ａの子機マイク１１および子機スピーカ１２との間の通話路が形成され、形成された通話路を介して音声信号を送受信させることにより通話が成立する。なお、前述の通話路が形成されたとき、廊下灯２０ａの廊下呼出表示灯２１は、緊急呼び出しがある旨の呼出報知を示す点滅の表示パターンから通話中である旨の点灯の表示パターンへと切り換わり、ハンディナース端末４０ａの端末モニタ４１に出画される表示データも緊急呼び出しがある旨の呼出報知を示す表示データから通話中である旨の表示データへと切り換わるだけでなく、ハンディナース端末４０ａ、４０ｂ、４０ｃ、４０ｈ、４０ｉ、４０ｑ、４０ｒ、４０ｓのうち、ハンディナース端末４０ａを除く他のハンディナース端末４０ｂ、４０ｃ、４０ｈ、４０ｉ、４０ｑ、４０ｒ、４０ｓにてそれぞれ行われている前述の呼出報知およびナースコール親機３０にて行われている前述の呼出報知はそれぞれ終了する（ステップＳＴ7、ＳＴ8）。
【００３８】
次に、前述のように、ナースコール親機３０およびハンディナース端末４０ａ、４０ｂ、４０ｃ、４０ｈ、４０ｉ、４０ｑ、４０ｒ、４０ｓにて、それぞれＡ号室内でナースコール子機１ａが設置されている病床の患者からの緊急呼び出しがある旨の１回目の呼出報知が行われたのにも関わらず、制御機７０の制御機ＣＰＵ７１にて計時中の予め定められた時間とされる３０秒以内に何ら応答操作がなくタイムアップとなると、これを検出した制御機ＣＰＵ７１は、次回の呼び出し、すなわち、２回目に緊急呼び出しを報知させる当該ハンディナース端末がそれぞれ有する重複しない個別の端末番号を特定してメモリ７５から読み出す。ここでは、１回目に呼出報知が行われなかった端末番号を優先させ、前述の各チーム「１」、「２」、「６」、「７」毎均一な割り付けで、かつ各チーム「１」、「２」、「６」、「７」毎で最大数３台の端末番号として、図３のテーブル説明図に示すように、先ず、チーム番号が「２」のチームで同チーム内３台目のハンディナース端末４０ｊに割り当てられている端末番号「２３」をメモリ７５から読み出し、この後に、チーム番号が「６」、「７」の各チームで同チーム内１台目のハンディナース端末４０ｑ、４０ｓにそれぞれ割り当てられている端末番号「６１」、「７１」、チーム番号が「１」のチームで同チーム内４台目のハンディナース端末４０ｄに割り当てられている端末番号「１４」、チーム番号が「２」のチームで同チーム内１台目のハンディナース端末４０ｈに割り当てられている端末番号「２１」、チーム番号が「６」のチームで同チーム内２台目のハンディナース端末４０ｒに割り当てられている端末番号「６２」、チーム番号が「１」のチームで同チーム内５台目、６台目の各ハンディナース端末４０ｅ、４０ｆにそれぞれ割り当てられている端末番号「１５」、「１６」の順序で合計８つの端末番号を特定してメモリ７５から読み出す。
【００３９】
また、制御機７０の制御機ＣＰＵ７１は、メモリ７５から読み出した各端末番号「１４」、「１５」、「１６」、「２１」、「２３」、「６１」、「６２」、「７１」と前述の子機番号、病室番号および呼出種別の情報をもとに作成した呼出報知データ（詳述せず）とを付加させた端末呼出報知信号（以下、２回目端末呼出報知信号という。）を端末側Ｉ／Ｆ７４から交換機ラインＬ12、ＰＢＸ交換機６０、基地局ラインＬ13を介して基地局５０に出力する。
【００４０】
基地局５０は、制御機７０の制御機ＣＰＵ７１からの２回目端末呼出報知信号を無線信号に信号処理して全てのハンディナース端末４０ａ、４０ｂ、・・・４０ｔへと送信する。
【００４１】
全てのハンディナース端末４０ａ、４０ｂ、・・・４０ｔは、基地局５０からの２回目端末呼出報知無線信号を受信し、電気信号へと信号処理した２回目端末呼出報知信号に付加されている各端末番号「１４」、「１５」、「１６」、「２１」、「２３」、「６１」、「６２」、「７１」と自端末に割り当てられている端末番号とを照合し、当該端末番号が一致した場合にのみ、同様に付加されている呼出報知データ（詳述せず）をもとに、Ａ号室内でナースコール子機１ａが設置されている病床の患者からの緊急呼び出しがある旨の内容を示す文字や絵データを端末モニタ４１に出画させるとともに、Ａ号室内でナースコール子機１ａが設置されている病床の患者からの緊急呼び出しがある旨の呼出音（音声メッセージを含む）を端末スピーカ４２から出力させて呼出報知を行う。ここでは、ハンディナース端末４０ｄ、４０ｅ、４０ｆ、４０ｈ、４０ｊ、４０ｑ、４０ｒ、４０ｓにて前述の呼出報知がそれぞれ行われる（ステップＳＴ4）。
【００４２】
さらに、ナースコール親機３０にて行われた前述の呼出報知を確認したナースステーション内に在室中の看護師、およびハンディナース端末４０ｄ、４０ｅ、４０ｆ、４０ｈ、４０ｊ、４０ｑ、４０ｒ、４０ｓにてそれぞれ行われた前述の呼出報知を確認した合計８人の病院内を巡回中の看護師のうち、何れか１人の看護師が制御機７０の制御機ＣＰＵ７１にて計時中の予め定められた時間とされる３０秒を経過する前に所定の応答操作を行うと、この応答操作を検出した制御機ＣＰＵ７１の制御により通話路が形成される。
【００４３】
なお、最先の応答操作として、ナースステーション内に在室中の看護師がナースコール親機３０のハンドセット３４を取り上げた場合に形成される通話路および通話の具体的な動作（ステップＳＴ7、ＳＴ8）は、前述と同様であることから説明は省略する。
【００４４】
一方、最先の応答操作として、ハンディナース端末４０ｄ、４０ｅ、４０ｆ、４０ｈ、４０ｊ、４０ｑ、４０ｒ、４０ｓをそれぞれ携行している合計８人の病院内を巡回中の看護師のうち、何れか１人の看護師、例えば、ハンディナース端末４０ｊを携行しながら病院内を巡回中の看護師が所定の応答操作を行うと、この応答操作を検出した制御機７０の制御機ＣＰＵ７１の制御により、ハンディナース端末４０ｊの端末スピーカ４２および端末マイク４３と基地局５０、基地局ラインＬ13、ＰＢＸ交換機６０、交換機ラインＬ12、制御機７０の端末側Ｉ／Ｆ７４、当該制御機ＣＰＵ、廊下灯側Ｉ／Ｆ７２、廊下灯ラインＬ10、廊下灯２０ａ、子機ラインＬ1aを介して呼出元の患者が使用するナースコール子機１ａの子機マイク１１および子機スピーカ１２との間の通話路が形成され、形成された通話路を介して音声信号を送受信させることにより通話が成立する。なお、前述の通話路が形成されたとき、廊下灯２０ａの廊下呼出表示灯２１は、緊急呼び出しがある旨の呼出報知を示す点滅の表示パターンから通話中である旨の点灯の表示パターンへと切り換わり、ハンディナース端末４０ｊの端末モニタ４１に出画される表示データも緊急呼び出しがある旨の呼出報知を示す表示データから通話中である旨の表示データへと切り換わるだけでなく、ハンディナース端末４０ｄ、４０ｅ、４０ｆ、４０ｈ、４０ｊ、４０ｑ、４０ｒ、４０ｓのうち、ハンディナース端末４０ｊを除く他のハンディナース端末４０ｄ、４０ｅ、４０ｆ、４０ｈ、４０ｑ、４０ｒ、４０ｓにてそれぞれ行われている前述の呼出報知およびナースコール親機３０にて行われている前述の呼出報知はそれぞれ終了する（ステップＳＴ7、ＳＴ8）。
【００４５】
次に、前述のように、ナースコール親機３０およびハンディナース端末４０ｄ、４０ｅ、４０ｆ、４０ｈ、４０ｊ、４０ｑ、４０ｒ、４０ｓにて、それぞれＡ号室内でナースコール子機１ａが設置されている病床の患者からの緊急呼び出しがある旨の２回目の呼出報知が行われたのにも関わらず、制御機７０の制御機ＣＰＵ７１にて計時中の予め定められた時間とされる３０秒以内に何ら応答操作がなくタイムアップとなると、これを検出した制御機ＣＰＵ７１は、次回の呼び出し、すなわち、３回目に緊急呼び出しを報知させる当該ハンディナース端末がそれぞれ有する重複しない個別の端末番号を特定してメモリ７５から読み出す。ここでは、２回目に呼出報知が行われなかった端末番号を優先させ、前述の各チーム「１」、「２」、「６」、「７」毎均一な割り付けで、かつ各チーム「１」、「２」、「６」、「７」毎で最大数３台の端末番号として、図３のテーブル説明図に示すように、先ず、チーム番号が「２」のチームで同チーム内２台目のハンディナース端末４０ｉに割り当てられている端末番号「２２」をメモリ７５から読み出し、この後に、チーム番号が「６」、「７」の各チームで同チーム内１台目のハンディナース端末４０ｑ、４０ｓにそれぞれ割り当てられている端末番号「６１」、「７１」、チーム番号が「１」のチームで同チーム内７台目のハンディナース端末４０ｇに割り当てられている端末番号「１７」、チーム番号が「２」のチームで同チーム内３台目のハンディナース端末４０ｊに割り当てられている端末番号「２３」、チーム番号が「６」のチームで同チーム内２台目のハンディナース端末４０ｒに割り当てられている端末番号「６２」、チーム番号が「１」のチームで同チーム内１台目、２台目の各ハンディナース端末４０ａ、４０ｂにそれぞれ割り当てられている端末番号「１１」、「１２」の順序で合計８つの端末番号を特定してメモリ７５から読み出す。
【００４６】
また、制御機７０の制御機ＣＰＵ７１は、メモリ７５から読み出した各端末番号「１１」、「１２」、「１７」、「２２」、「２３」、「６１」、「６２」、「７１」と前述の子機番号、病室番号および呼出種別の情報をもとに作成した呼出報知データ（詳述せず）とを付加させた端末呼出報知信号（以下、３回目端末呼出報知信号という。）を端末側Ｉ／Ｆ７４から交換機ラインＬ12、ＰＢＸ交換機６０、基地局ラインＬ13を介して基地局５０に出力する。
【００４７】
基地局５０は、制御機７０の制御機ＣＰＵ７１からの３回目端末呼出報知信号を無線信号に信号処理して全てのハンディナース端末４０ａ、４０ｂ、・・・４０ｔへと送信する。
【００４８】
全てのハンディナース端末４０ａ、４０ｂ、・・・４０ｔは、基地局５０からの３回目端末呼出報知無線信号を受信し、電気信号へと信号処理した３回目端末呼出報知信号に付加されている各端末番号「１１」、「１２」、「１７」、「２２」、「２３」、「６１」、「６２」、「７１」と自端末に割り当てられている端末番号とを照合し、当該端末番号が一致した場合にのみ、同様に付加されている呼出報知データ（詳述せず）をもとに、Ａ号室内でナースコール子機１ａが設置されている病床の患者からの緊急呼び出しがある旨の内容を示す文字や絵データを端末モニタ４１に出画させるとともに、Ａ号室内でナースコール子機１ａが設置されている病床の患者からの緊急呼び出しがある旨の呼出音（音声メッセージを含む）を端末スピーカ４２から出力させて呼出報知を行う。ここでは、ハンディナース端末４０ａ、４０ｂ、４０ｇ、４０ｉ、４０ｊ、４０ｑ、４０ｒ、４０ｓにて前述の呼出報知がそれぞれ行われる（ステップＳＴ5）。
【００４９】
さらに、ナースコール親機３０にて行われた前述の呼出報知を確認したナースステーション内に在室中の看護師、およびハンディナース端末４０ａ、４０ｂ、４０ｇ、４０ｉ、４０ｊ、４０ｑ、４０ｒ、４０ｓにてそれぞれ行われた前述の呼出報知を確認した合計８人の病院内を巡回中の看護師のうち、何れか１人の看護師が制御機７０の制御機ＣＰＵ７１にて計時中の予め定められた時間とされる３０秒を経過する前に所定の応答操作を行うと、この応答操作を検出した制御機ＣＰＵ７１の制御により通話路が形成される。
【００５０】
なお、最先の応答操作として、ナースステーション内に在室中の看護師がナースコール親機３０のハンドセット３４を取り上げた場合に形成される通話路および通話の具体的な動作（ステップＳＴ7、ＳＴ8）は、前述と同様であることから説明は省略する。
【００５１】
一方、最先の応答操作として、ハンディナース端末４０ａ、４０ｂ、４０ｇ、４０ｉ、４０ｊ、４０ｑ、４０ｒ、４０ｓをそれぞれ携行している合計８人の病院内を巡回中の看護師のうち、何れか１人の看護師、例えば、ハンディナース端末４０ｑを携行しながら病院内を巡回中の看護師が所定の応答操作を行うと、この応答操作を検出した制御機７０の制御機ＣＰＵ７１の制御により、ハンディナース端末４０ｑの端末スピーカ４２および端末マイク４３と基地局５０、基地局ラインＬ13、ＰＢＸ交換機６０、交換機ラインＬ12、制御機７０の端末側Ｉ／Ｆ７４、当該制御機ＣＰＵ、廊下灯側Ｉ／Ｆ７２、廊下灯ラインＬ10、廊下灯２０ａ、子機ラインＬ1aを介して呼出元の患者が使用するナースコール子機１ａの子機マイク１１および子機スピーカ１２との間の通話路が形成され、形成された通話路を介して音声信号を送受信させることにより通話が成立する。なお、前述の通話路が形成されたとき、廊下灯２０ａの廊下呼出表示灯２１は、緊急呼び出しがある旨の呼出報知を示す点滅の表示パターンから通話中である旨の点灯の表示パターンへと切り換わり、ハンディナース端末４０ｑの端末モニタ４１に出画される表示データも緊急呼び出しがある旨の呼出報知を示す表示データから通話中である旨の表示データへと切り換わるだけでなく、ハンディナース端末４０ａ、４０ｂ、４０ｇ、４０ｉ、４０ｊ、４０ｑ、４０ｒ、４０ｓのうち、ハンディナース端末４０ｑを除く他のハンディナース端末４０ａ、４０ｂ、４０ｇ、４０ｉ、４０ｊ、４０ｒ、４０ｓにてそれぞれ行われている前述の呼出報知およびナースコール親機３０にて行われている前述の呼出報知はそれぞれ終了する（ステップＳＴ7、ＳＴ8）。
【００５２】
次に、前述のように、ナースコール親機３０およびハンディナース端末４０ａ、４０ｂ、４０ｇ、４０ｉ、４０ｊ、４０ｑ、４０ｒ、４０ｓにて、それぞれＡ号室内でナースコール子機１ａが設置されている病床の患者からの緊急呼び出しがある旨の３回目の呼出報知が行われたのにも関わらず、制御機７０の制御機ＣＰＵ７１にて計時中の予め定められた時間とされる３０秒以内に何ら応答操作がなくタイムアップとなると、これを検出した制御機ＣＰＵ７１は、次回の呼び出し、すなわち、４回目に緊急呼び出しを報知させる当該ハンディナース端末がそれぞれ有する重複しない個別の端末番号を特定してメモリ７５から読み出す。ここでは、３回目に呼出報知が行われなかった端末番号を優先させ、前述の各チーム「１」、「２」、「６」、「７」毎均一な割り付けで、かつ各チーム「１」、「２」、「６」、「７」毎で最大数３台の端末番号として、図３のテーブル説明図に示すように、先ず、チーム番号が「２」のチームで同チーム内１台目のハンディナース端末４０ｈに割り当てられている端末番号「２１」をメモリ７５から読み出し、この後に、チーム番号が「６」、「７」の各チームで同チーム内１台目のハンディナース端末４０ｑ、４０ｓにそれぞれ割り当てられている端末番号「６１」、「７１」、チーム番号が「１」のチームで同チーム内３台目のハンディナース端末４０ｃに割り当てられている端末番号「１３」、チーム番号が「２」のチームで同チーム内２台目のハンディナース端末４０ｉに割り当てられている端末番号「２２」、チーム番号が「６」のチームで同チーム内２台目のハンディナース端末４０ｒに割り当てられている端末番号「６２」、チーム番号が「１」のチームで同チーム内４台目、５台目の各ハンディナース端末４０ｄ、４０ｅにそれぞれ割り当てられている端末番号「１４」、「１５」の順序で合計８つの端末番号を特定してメモリ７５から読み出す。
【００５３】
また、制御機７０の制御機ＣＰＵ７１は、メモリ７５から読み出した各端末番号「１３」、「１４」、「１５」、「２１」、「２２」、「６１」、「６２」、「７１」と前述の子機番号、病室番号および呼出種別の情報をもとに作成した呼出報知データ（詳述せず）とを付加させた端末呼出報知信号（以下、４回目端末呼出報知信号という。）を端末側Ｉ／Ｆ７４から交換機ラインＬ12、ＰＢＸ交換機６０、基地局ラインＬ13を介して基地局５０に出力する。
【００５４】
基地局５０は、制御機７０の制御機ＣＰＵ７１からの４回目端末呼出報知信号を無線信号に信号処理して全てのハンディナース端末４０ａ、４０ｂ、・・・４０ｔへと送信する。
【００５５】
全てのハンディナース端末４０ａ、４０ｂ、・・・４０ｔは、基地局５０からの４回目端末呼出報知無線信号を受信し、電気信号へと信号処理した４回目端末呼出報知信号に付加されている各端末番号「１３」、「１４」、「１５」、「２１」、「２２」、「６１」、「６２」、「７１」と自端末に割り当てられている端末番号とを照合し、当該端末番号が一致した場合にのみ、同様に付加されている呼出報知データ（詳述せず）をもとに、Ａ号室内でナースコール子機１ａが設置されている病床の患者からの緊急呼び出しがある旨の内容を示す文字や絵データを端末モニタ４１に出画させるとともに、Ａ号室内でナースコール子機１ａが設置されている病床の患者からの緊急呼び出しがある旨の呼出音（音声メッセージを含む）を端末スピーカ４２から出力させて呼出報知を行う。ここでは、ハンディナース端末４０ｃ、４０ｄ、４０ｅ、４０ｈ、４０ｉ、４０ｑ、４０ｒ、４０ｓにて前述の呼出報知がそれぞれ行われる（ステップＳＴ6）。
【００５６】
さらに、ナースコール親機３０にて行われた前述の呼出報知を確認したナースステーション内に在室中の看護師、およびハンディナース端末４０ｃ、４０ｄ、４０ｅ、４０ｈ、４０ｉ、４０ｑ、４０ｒ、４０ｓにてそれぞれ行われた前述の呼出報知を確認した合計８人の病院内を巡回中の看護師のうち、何れか１人の看護師が制御機７０の制御機ＣＰＵ７１にて計時中の予め定められた時間とされる３０秒を経過する前に所定の応答操作を行うと、この応答操作を検出した制御機ＣＰＵ７１の制御により通話路が形成される。
【００５７】
なお、最先の応答操作として、ナースステーション内に在室中の看護師がナースコール親機３０のハンドセット３４を取り上げた場合に形成される通話路および通話の具体的な動作（ステップＳＴ7、ＳＴ8）は、前述と同様であることから説明は省略する。
【００５８】
一方、最先の応答操作として、ハンディナース端末４０ｃ、４０ｄ、４０ｅ、４０ｈ、４０ｉ、４０ｑ、４０ｒ、４０ｓをそれぞれ携行している合計８人の病院内を巡回中の看護師のうち、何れか１人の看護師、例えば、ハンディナース端末４０ｓを携行しながら病院内を巡回中の看護師が所定の応答操作を行うと、この応答操作を検出した制御機７０の制御機ＣＰＵ７１の制御により、ハンディナース端末４０ｓの端末スピーカ４２および端末マイク４３と基地局５０、基地局ラインＬ13、ＰＢＸ交換機６０、交換機ラインＬ12、制御機７０の端末側Ｉ／Ｆ７４、当該制御機ＣＰＵ、廊下灯側Ｉ／Ｆ７２、廊下灯ラインＬ10、廊下灯２０ａ、子機ラインＬ1aを介して呼出元の患者が使用するナースコール子機１ａの子機マイク１１および子機スピーカ１２との間の通話路が形成され、形成された通話路を介して音声信号を送受信させることにより通話が成立する。なお、前述の通話路が形成されたとき、廊下灯２０ａの廊下呼出表示灯２１は、緊急呼び出しがある旨の呼出報知を示す点滅の表示パターンから通話中である旨の点灯の表示パターンへと切り換わり、ハンディナース端末４０ｓの端末モニタ４１に出画される表示データも緊急呼び出しがある旨の呼出報知を示す表示データから通話中である旨の表示データへと切り換わるだけでなく、ハンディナース端末４０ｃ、４０ｄ、４０ｅ、４０ｈ、４０ｉ、４０ｑ、４０ｒ、４０ｓのうち、ハンディナース端末４０ｓを除く他のハンディナース端末４０ｃ、４０ｄ、４０ｅ、４０ｈ、４０ｉ、４０ｑ、４０ｒにてそれぞれ行われている前述の呼出報知およびナースコール親機３０にて行われている前述の呼出報知はそれぞれ終了する（ステップＳＴ7、ＳＴ8）。
【００５９】
次に、前述のように、ナースコール親機３０およびハンディナース端末４０ｃ、４０ｄ、４０ｅ、４０ｈ、４０ｉ、４０ｑ、４０ｒ、４０ｓにて、それぞれＡ号室内でナースコール子機１ａが設置されている病床の患者からの緊急呼び出しがある旨の４回目の呼出報知が行われたのにも関わらず、制御機７０の制御機ＣＰＵ７１にて計時中の予め定められた時間とされる３０秒以内に何ら応答操作がなくタイムアップとなると、これを検出した制御機ＣＰＵ７１は、次回の呼び出し、すなわち、５回目に緊急呼び出しを報知させる当該ハンディナース端末がそれぞれ有する重複しない個別の端末番号を特定してメモリ７５から読み出す。ここでは、４回目に呼出報知が行われなかった端末番号を優先させ、前述の各チーム「１」、「２」、「６」、「７」毎均一な割り付けで、かつ各チーム「１」、「２」、「６」、「７」毎で最大数３台の端末番号として、図３のテーブル説明図に示すように、先ず、チーム番号が「２」のチームで同チーム内３台目のハンディナース端末４０ｊに割り当てられている端末番号「２３」をメモリ７５から読み出し、この後に、チーム番号が「６」、「７」の各チームで同チーム内１台目のハンディナース端末４０ｑ、４０ｓにそれぞれ割り当てられている端末番号「６１」、「７１」、チーム番号が「１」のチームで同チーム内６台目のハンディナース端末４０ｆに割り当てられている端末番号「１６」、チーム番号が「２」のチームで同チーム内１台目のハンディナース端末４０ｈに割り当てられている端末番号「２１」、チーム番号が「６」のチームで同チーム内２台目のハンディナース端末４０ｒに割り当てられている端末番号「６２」、チーム番号が「１」のチームで同チーム内７台目、１台目の各ハンディナース端末４０ｇ、４０ａにそれぞれ割り当てられている端末番号「１７」、「１１」の順序で合計８つの端末番号を特定してメモリ７５から読み出す。
【００６０】
また、制御機７０の制御機ＣＰＵ７１は、メモリ７５から読み出した各端末番号「１１」、「１６」、「１７」、「２１」、「２３」、「６１」、「６２」、「７１」と前述の子機番号、病室番号および呼出種別の情報をもとに作成した呼出報知データ（詳述せず）とを付加させた端末呼出報知信号（以下、５回目端末呼出報知信号という。）を端末側Ｉ／Ｆ７４から交換機ラインＬ12、ＰＢＸ交換機６０、基地局ラインＬ13を介して基地局５０に出力する。
【００６１】
基地局５０は、制御機７０の制御機ＣＰＵ７１からの５回目端末呼出報知信号を無線信号に信号処理して全てのハンディナース端末４０ａ、４０ｂ、・・・４０ｔへと送信する。
【００６２】
全てのハンディナース端末４０ａ、４０ｂ、・・・４０ｔは、基地局５０からの５回目端末呼出報知無線信号を受信し、電気信号へと信号処理した５回目端末呼出報知信号に付加されている各端末番号「１１」、「１６」、「１７」、「２１」、「２３」、「６１」、「６２」、「７１」と自端末に割り当てられている端末番号とを照合し、当該端末番号が一致した場合にのみ、同様に付加されている呼出報知データ（詳述せず）をもとに、Ａ号室内でナースコール子機１ａが設置されている病床の患者からの緊急呼び出しがある旨の内容を示す文字や絵データを端末モニタ４１に出画させるとともに、Ａ号室内でナースコール子機１ａが設置されている病床の患者からの緊急呼び出しがある旨の呼出音（音声メッセージを含む）を端末スピーカ４２から出力させて呼出報知を行う。ここでは、ハンディナース端末４０ａ、４０ｆ、４０ｇ、４０ｈ、４０ｊ、４０ｑ、４０ｒ、４０ｓにて前述の呼出報知がそれぞれ行われる（ステップＳＴ6）。
【００６３】
さらに、ナースコール親機３０にて行われた前述の呼出報知を確認したナースステーション内に在室中の看護師、およびハンディナース端末４０ａ、４０ｆ、４０ｇ、４０ｈ、４０ｊ、４０ｑ、４０ｒ、４０ｓにてそれぞれ行われた前述の呼出報知を確認した合計８人の病院内を巡回中の看護師のうち、何れか１人の看護師が制御機７０の制御機ＣＰＵ７１にて計時中の予め定められた時間とされる３０秒を経過する前に所定の応答操作を行うと、この応答操作を検出した制御機ＣＰＵ７１の制御により通話路が形成される。
【００６４】
なお、最先の応答操作として、ナースステーション内に在室中の看護師がナースコール親機３０のハンドセット３４を取り上げた場合に形成される通話路および通話の具体的な動作（ステップＳＴ7、ＳＴ8）は、前述と同様であることから説明は省略する。
【００６５】
一方、最先の応答操作として、ハンディナース端末４０ａ、４０ｆ、４０ｇ、４０ｈ、４０ｊ、４０ｑ、４０ｒ、４０ｓをそれぞれ携行している合計８人の病院内を巡回中の看護師のうち、何れか１人の看護師、例えば、ハンディナース端末４０ｇを携行しながら病院内を巡回中の看護師が所定の応答操作を行うと、この応答操作を検出した制御機７０の制御機ＣＰＵ７１の制御により、ハンディナース端末４０ｇの端末スピーカ４２および端末マイク４３と基地局５０、基地局ラインＬ13、ＰＢＸ交換機６０、交換機ラインＬ12、制御機７０の端末側Ｉ／Ｆ７４、当該制御機ＣＰＵ、廊下灯側Ｉ／Ｆ７２、廊下灯ラインＬ10、廊下灯２０ａ、子機ラインＬ1aを介して呼出元の患者が使用するナースコール子機１ａの子機マイク１１および子機スピーカ１２との間の通話路が形成され、形成された通話路を介して音声信号を送受信させることにより通話が成立する。なお、前述の通話路が形成されたとき、廊下灯２０ａの廊下呼出表示灯２１は、緊急呼び出しがある旨の呼出報知を示す点滅の表示パターンから通話中である旨の点灯の表示パターンへと切り換わり、ハンディナース端末４０ｇの端末モニタ４１に出画される表示データも緊急呼び出しがある旨の呼出報知を示す表示データから通話中である旨の表示データへと切り換わるだけでなく、ハンディナース端末４０ａ、４０ｆ、４０ｇ、４０ｈ、４０ｊ、４０ｑ、４０ｒ、４０ｓのうち、ハンディナース端末４０ｇを除く他のハンディナース端末４０ａ、４０ｆ、４０ｈ、４０ｊ、４０ｑ、４０ｒ、４０ｓにてそれぞれ行われている前述の呼出報知およびナースコール親機３０にて行われている前述の呼出報知はそれぞれ終了する（ステップＳＴ7、ＳＴ8）。
【００６６】
なお、ナースコール親機３０にて行われた前述の呼出報知を確認したナースステーション内に在室中の看護師、および緊急の呼び出しがある旨の呼出報知が行われた当該ハンディナース端末を携行している病院内を巡回中の看護師のうち何れか１人の看護師によるハンディナース端末４０ａ、４０ｂ、・・・４０ｔを使用した応答操作があるまで、緊急呼び出しがある旨の呼出報知は繰り返される（ステップＳＴ6、ＳＴ7、ＳＴ8）。
【００６７】
以上の説明から明らかなように、本発明の実施例によれば、病室内の患者または看護師からのナースコール子機１ａ〜４ａ、１ｂ〜４ｂ、・・・を使用した通常呼び出し、緊急呼び出し等の複数の呼出種別のうち何れか１の呼び出しを報知させることができる複数のチームにそれぞれ割り当てられたハンディナース端末として、一度に呼出可能な台数、例えば、８台を超えて合計２０台のハンディナース端末４０ａ、４０ｂ、・・・４０ｔが設定されている場合、ナースコール子機からの呼び出しを検出した制御機７０の制御機ＣＰＵ７１は、１回目の呼出時に各チーム毎の呼出可能なハンディナース端末の台数を均一に割り当て、予め定められた時間の経過後に呼び出しを報知させるハンディナース端末が変更されたときには、各チーム内で最初に特定したハンディナース端末の台数を呼び出すことにより、全てのチームへと呼出報知を行うことができる。これにより、複数のチームにそれぞれ割り当てられたハンディナース端末ハンディナース端末４０ａ、４０ｂ、・・・４０ｔを携行している看護師のうち少なくとも各チーム毎何れか１人の看護師は、呼出元の患者または他の看護師に即時に対応でき、迅速な看護業務の遂行が図られる。
【００６８】
また、本発明の実施例においては、Ａ号室内でナースコール子機１ａが設置された病床の患者が、ナースステーション内に在室中の看護師およびハンディナース端末４０ａ、４０ｂ、・・・４０ｔをそれぞれ携行しながら病院内を巡回中の複数の看護師のうちナースコール子機１ａが設置された病床の患者を受け持つチーム毎の複数の看護師として、チーム番号が「１」、「２」、「６」、「７」の計４チームの複数の看護師に対して所定の呼出操作を行った場合について説明したが、呼出報知を行うチームは４つに限定されず、１乃至任意の複数のチームで設定することができる。
【００６９】
また、本発明の実施例においては、ナースコール子機１ａ〜４ａ、１ｂ〜４ｂ、・・・からの呼び出しを報知させる当該ハンディナース端末がそれぞれ有する重複しない個別の端末番号を特定して制御機７０のメモリ７５から読み出すにあたっては、前回に呼出報知が行われなかった端末番号を優先させ、チーム毎均一な割り付けで、かつチーム毎で最大数３台の端末番号となるように規則性を持たせたが、特定させる端末番号をチーム毎に規則性を持たせずにランダムに読み出し、ゆえに、呼出報知が行われるハンディナース端末４０ａ、４０ｂ、・・・４０ｔについてもランダムに設定することもできる。
【００７０】
また、本発明の実施例においては、制御機７０の端末側Ｉ／Ｆ７４が有する通信機能として、制御機ＣＰＵ７１および交換機ラインＬ12の間の通信ラインを有線で形成する機能を備えたが、これに限定されず、無線による通信機能を端末側Ｉ／Ｆ７４に備えることにより、基地局５０、ＰＢＸ交換機６０および廊下灯ラインＬ12が不要となり、端末側Ｉ／Ｆ７４およびハンディナース端末４０ａ、４０ｂ、・・・４０ｔの間で無線による通信が可能となる。
【００７１】
さらに、本発明の実施例においては、ナースステーション内に設置されるナースコール親機として、親機呼出表示灯３１、親機スピーカ３２、親機表示部３３、ハンドセット３４を有するボード型のナースコール親機３０を適用したが、これに限定されず、ナースコール子機１ａ〜４ａ、１ｂ〜４ｂ、・・・からの呼び出しの呼出報知を行う手段として、視覚的な報知手段、例えば、ディスプレイ表示機能を有するパーソナルコンピュータ（図示せず）と聴覚的な報知手段、例えば、親機スピーカを有するナースコール通話部（図示せず）とが分離して構成されるナースコール親機も好適である。
【図面の簡単な説明】
【００７２】
【図１】本発明の実施例によるナースコールシステムの構成を示すシステム説明図。
【図２】本発明の実施例によるナースコールシステムにおいて、制御機の制御機ＣＰＵの制御動作を示すフローチャート図。
【図３】本発明の実施例によるナースコールシステムにおいて、制御機の制御機ＣＰＵの制御により、呼び出しを報知させるハンディナース端末がそれぞれ有する重複しない個別の端末番号を特定するための動作遷移を示すテーブル説明図。
【図４】従来例のナースコール装置において、制御機の制御機ＣＰＵの制御（図示および詳述せず）により、呼び出しを報知させる携帯端末がそれぞれ有する重複しない個別の端末番号を特定するための動作遷移を示すテーブル説明図。
【符号の説明】
【００７３】
１ａ〜４ａ、１ｂ〜４ｂ、・・・ ……ナースコール子機
２０ａ、２０ｂ、・・・ ……廊下灯
２１……廊下呼出表示灯（呼出表示灯）
３０……ナースコール親機
４０ａ、４０ｂ、・・・４０ｔ……ハンディナース端末
７０……制御機
７１……制御機ＣＰＵ
【図１】
2005278101.tif 000003
【図２】
2005278101.tif 000004
【図３】
2005278101.tif 000005
【図４】
2005278101.tif 000006